(57)【特許請求の範囲】
【請求項１】
内部にガス流路を有する柱状のセルを複数個立設させた状態で配列して電気的に接続してなるセルスタックと、
前記セルの下端を固定するとともに前記セルの前記ガス流路にガスを供給するためのマニホールドと、
前記ガスを前記マニホールドに供給するためのガス供給管とを備え、
該ガス供給管は、一端がガス供給部に接続されるとともに、他端が前記マニホールドに設けられた第１貫通孔に挿入されて前記マニホールドに第１接合部を介して接合されており、
前記ガス供給管の挿入方向に沿った任意の断面において、前記ガス供給管は、前記第１接合部に対応する位置において、前記ガス供給管の内側に向けて突出する第１凸部を有するセルスタック装置。
【請求項２】
前記第１凸部は、前記ガス供給管の内面の全周にわたって設けられている請求項１に記載のセルスタック装置。
【請求項３】
前記第１凸部における前記ガス供給管の厚みが全周にわたって不均一である請求項２に記載のセルスタック装置。
【請求項４】
前記マニホールドにおける前記第１貫通孔の外周部に、前記ガス供給管に沿ってガス供給部側に延びた第１折り曲げ部を有し、該第１折り曲げ部の上端部と前記ガス供給管とが前記第１接合部を介して接合されている請求項１乃至請求項３のいずれかに記載のセルスタック装置。
【請求項５】
前記第１折り曲げ部の上端部の厚みは、前記第１折り曲げ部の中央部の厚みよりも厚く、かつ前記第１折り曲げ部の下端部の厚みよりも薄い請求項４に記載のセルスタック装置。
【請求項６】
前記マニホールドは、前記ガス流路と連通している空間を有する本体部と本体部から突出した鍔部とを有しており、該鍔部が前記第１貫通孔を有し、前記本体部は第２貫通孔を有しており、
該第２貫通孔に前記ガス供給管の他端が挿入されて、該他端と前記マニホールドとが第２接合部を介して接合されており、
前記ガス供給管の挿入方向に沿った任意の断面において、
前記ガス供給管は、前記第２接合部に対応する位置において、前記ガス供給管の内側に向けて突出する第２凸部を有する請求項１乃至請求項５のいずれかに記載のセルスタック装置。
【請求項７】
前記第２凸部は、前記ガス供給管の内面の全周にわたって設けられている請求項６に記載のセルスタック装置。
【請求項８】
前記第２凸部における前記ガス供給管の厚みが全周にわたって不均一である請求項７に記載のセルスタック装置。
【請求項９】
前記マニホールドにおける前記第２貫通孔の外周部に、前記ガス供給管に沿って前記ガス供給部側に延びた第２折り曲げ部を有し、
該第２折り曲げ部の上端部と前記ガス供給管とが接合されている請求項６乃至請求項８のいずれかに記載のセルスタック装置。
【請求項１０】
前記第２折り曲げ部の上端部の厚みは、前記第２折り曲げ部の中央部の厚みよりも厚く、かつ前記第２折り曲げ部の下端部の厚みよりも薄い請求項９に記載のセルスタック装置。
【請求項１１】
収納容器内に請求項１乃至請求項１０のいずれかに記載のセルスタック装置を収納してなるモジュール。
【請求項１２】
請求項１１に記載のモジュールと、該モジュールを作動させるための補機とを、外装ケース内に収納してなるモジュール収容装置。
【発明の詳細な説明】
【技術分野】
【０００１】
本開示は、セルスタック装置、モジュールおよびモジュール収容装置に関する。
【背景技術】
【０００２】
近年、次世代エネルギーとして、例えば、特許第５７６６１３２号公報（以下、特許文献１という。）には、燃料ガス（水素含有ガス）と酸素含有ガス（空気）とを用いて電力を得ることができるセルの１種である燃料電池セルがマニホールドに複数配列されてなるセルスタック装置が提案されている。【０００３】
また、例えば、特許第５８７３９４９号公報（以下、特許文献２という。）には、マニホールドには、その内部空間にガスを導入するための導入管が設けられており、該導入管の一端部が、マニホールドに設けられた貫通孔に挿入され、導入管とマニホールドとが接合部を介して接合されているものが提案されている。
【発明の概要】
【０００４】
本開示のセルスタック装置は、内部にガス流路を有する柱状のセルを複数個立設させた状態で配列して電気的に接続してなるセルスタックと、前記セルの下端を固定するとともに前記セルの前記ガス流路にガスを供給するためのマニホールドと、前記ガスを前記マニホールドに供給するためのガス供給管とを備え、該ガス供給管は、一端がガス供給部に接続されるとともに、他端が前記マニホールドに設けられた第１貫通孔に挿入されて前記マニホールドに第１接合部を介して接合されており、前記ガス供給管の挿入方向に沿った任意の断面において、前記ガス供給管は、前記第１接合部に対応する位置において、前記ガス供給管の内側に向けて突出する第１凸部を有する。
【０００５】
本開示のモジュールは、収納容器内に上記セルスタック装置を収納してなる。
【０００６】
本開示のモジュール収容装置は、モジュールと、該モジュールを作動させるための補機とを、外装ケース内に収納してなる。
【図面の簡単な説明】
【０００７】
【図１】本実施形態のセルスタック装置の一例を示す側面図および部分断面図である。
【図２】図２Ａは図１のＡ部の一例を示す拡大した垂直方向の断面図であり、図２Ｂは、図２ＡのＸ−Ｘ線で切断した水平方向の断面図である。
【図３Ａ】図２Ｂの他の例を示す水平方向の断面図である。
【図３Ｂ】図２Ｂの他の例を示す水平方向の断面図である。
【図３Ｃ】図２Ｂの他の例を示す水平方向の断面図である。
【図４】図１のＡ部の他の例を示す拡大した垂直方向の断面図である。
【図５】図１のＡ部の他の例を示す拡大した垂直方向の断面図である。
【図６Ａ】本実施形態のセルスタック装置の他の例を示す外観斜視図である。
【図６Ｂ】図６Ａで示したセルスタック装置の一部を省略した平面図である。
【図７】図６ＢのＹ−Ｙ断面図で一部は側面図である。
【図８】図８Ａは、図７のＢ部の一例を示す拡大した垂直方向の断面部であり、図８Ｂは、図８ＡのＺ−Ｚ線で切断した水平方向の断面図である。
【図９Ａ】図８Ｂの他の例を示す水平方向の断面図である。
【図９Ｂ】図８Ｂの他の例を示す水平方向の断面図である。
【図９Ｃ】図８Ｂの他の例を示す水平方向の断面図である。
【図１０】図７のＢ部の他の例を示す拡大した垂直方向の断面図である。
【図１１】図７のＢ部の他の例を示す拡大した垂直方向の断面図である。
【図１２】本実施形態のモジュールの一例を示す外観斜視図である。
【図１３】本実施形態のモジュール収納装置の一例を、一部を省略して示す斜視図である。
【発明を実施するための形態】
【０００８】
図１〜図１３を用いて、本開示のセルスタック装置、モジュールおよびモジュール収容装置の一例について説明する。
【０００９】
図１は本実施形態のセルスタック装置の一例を示す側面図であり、一部は分かりやすくするために部分断面図としている。また図２Ａは図１のＡ部の一例を示す拡大した垂直方向の断面図であり、図２Ｂは図２ＡのＸ−Ｘ線で切断した水平方向の断面図である。なお、以降の図において同一の部材については同一の番号を付するものとする。
【００１０】
図１で示すセルスタック装置１は、内部をガスが一端から他端に流通するガス流路（図示せず）を有するセル３を立設させた状態で一列に配列し、隣接するセル３間が導電部材（図示せず）を介して電気的に直列に接続されている。さらに、図１で示すセルスタック装置１は、セル３の下端をガラスシール材等の絶縁性接着材（図示せず）でマニホールド４に固定してなるセルスタック５を１つ備えている。
【００１１】
また、セルスタック５の上方には、セル３に供給するガスを生成するためのガス供給部としての改質器６が配置されている。なお、以降の説明において、特に断りのない限り、ガス供給部を改質器６として説明する。
【００１２】
また、セルスタック５の端部には、セルスタック５（セル３）の発電により生じた電気を集電して外部に引き出すための、導電部１２を有する端部導電部材１１が配置されている。
【００１３】
なお、セルスタック装置１を、改質器６を含むものとすることもできる。
【００１４】
また、図１においては、セル３として、内部をガスが長手方向に流通するガス流路を複数有する中空平板型で、ガス流路を有する支持体の表面に、内側電極層、固体電解質層及び外側電極層を順に積層してなる固体酸化物形のセル３を例示している。なお、以降の説明において、特に断りのない限り、内側電極層を燃料極層とし、外側電極層を酸素極層として説明する。
【００１５】
ここで、セル３は、燃料極層と酸素極層とが固体電解質層を介して対面している部分が発電の素子部として機能する。即ち、酸素極層の外側に空気等の酸素含有ガスを流し、且つ支持体内のガス通路に燃料ガス（水素含有ガス）を流し、所定の作動温度まで加熱することにより発電する。そして、かかる発電によって生成した電流は、上述した端部導電部材１１を介して集電される。
【００１６】
また、図１に示す改質器６においては、原燃料供給管１０を介して供給される天然ガスや灯油等の原燃料を改質してガスを生成する。なお、改質器６は、効率のよい改質反応である水蒸気改質を行うことができる構造とすることができ、水を気化させるための気化部７と、原燃料をガスに改質するための改質触媒（図示せず）が配置された改質部８とを備えている。そして、改質器６で生成されたガスは、ガス供給管９を介してマニホールド４に供給され、マニホールド４よりセル３の内部に設けられたガス流路に供給される。
【００１７】
なお、図１においてガス供給管９およびマニホールド４は断面図で示し、それ以外は側面図で示している。
【００１８】
また、本実施形態においては、ガス供給管９は、一端が改質器６に接続されるとともに、他端がマニホールド４に設けられた第１貫通孔１４に挿入されてマニホールド４に第１接合部１７を介して接合されている。
【００１９】
ところで、セルスタック装置１において、燃料電池の発電時に発生する熱によりガス供給管９が変形したり動いたりする場合に、ガス供給管９の形状によっては、ガス供給管９とマニホールド４との第１接合部１７に疲労破壊等によるクラックや割れが発生するおそれがある。それゆえ、ガス供給管９とマニホールド４との接合を強固なものとするにあたり、改善の余地があった。
【００２０】
そこで、本実施形態においては、図２Ａに示すように、ガス供給管９は、第１接合部１７に対応する位置において、ガス供給管９の内側に向けて突出する第１凸部１９を有する。それにより、ガス供給管９が変形したり動いたりしても、第１凸部１９により、第１接合部１７に対応する位置において、第１凸部１９におけるガス供給管９の厚みｔ１が肉厚になることで、ガス供給管９の断面積が増加し、このガス供給管９が接合する第１接合部１７に、疲労破壊等によるクラックや割れが発生することを抑制できる。それにより、ガス供給管９とマニホールド４とを強固に接合することができ、その結果、ガス供給管９とマニホールド４との接合信頼性を向上することができる。
【００２１】
ここで、第１凸部１９におけるガス供給管９の厚みｔ１は、図２Ａ、図２Ｂに示すように、ガス供給管９そのものの厚みｔ１１に、第１凸部１９の最も厚い厚みｔ１２を加えた厚みである。
【００２２】
図２Ｂに示すように、第１凸部１９は、ガス供給管９の断面積を増加させる観点から、ガス供給管９の内面の全周にわたって設けることができる。これにより、ガス供給管９が接合する第１接合部１７に、疲労破壊等によるクラックや割れが発生することを抑制できる。
【００２３】
図３Ａ、図３Ｂ、図３Ｃは、図２Ｂの他の例を示す水平方向の断面図である。
【００２４】
図３Ａ、図３Ｂには、第１凸部１９におけるガス供給管９の厚みが全周にわたって不均一である例を示している。
【００２５】
図３Ａのように、厚みの薄い部分と厚みの厚い部分が線対称になっていてもよいし、また図３Ｂのように、厚みの薄い部分と厚みの厚い部分とが偏っていてもよい。このように、第１凸部１９におけるガス供給管９の厚みが全周にわたって不均一であっても、ガス供給管９が肉厚になることに変わりなく、その部分でもってクラックや割れが発生することを抑制できる。
【００２６】
一方、第１凸部１９は必ずしも全周に渡って設けられている必要はなく、図３Ｃのように、第１凸部１９が一部のみに設けられていてもよい。このように、第１凸部１９が一部のみに設けられている場合であっても、ガス供給管９が肉厚になる部分でもってクラックや割れが発生することを抑制できる。
【００２７】
ガス供給管９の厚みは例えば０．５ｍｍ〜１．０ｍｍであり、第１凸部１９の厚みは例えば０．１ｍｍ〜０．５ｍｍとすることができる。
【００２８】
図４および図５は、図１のＡ部の他の例を示す拡大した垂直方向の断面図である。
【００２９】
図４に示す例においては、マニホールド４における第１貫通孔１４の外周部に、ガス供給管９に沿って改質器６側に延びた第１折り曲げ部４ｃを有し、該第１折り曲げ部４ｃの上端部とガス供給管９とが第１接合部１７を介して接合されている。マニホールド４が第１折り曲げ部４ｃを有することで、マニホールド４とガス供給管９とが接合しやすくなり、また第１貫通孔１４にガス供給管９を挿入しやすくなる。なお、第１の折り曲げ部４ｃの高さＨ１は、例えば２ｍｍ〜５ｍｍとすることができる。
【００３０】
図５に示す例においては、第１折り曲げ部４ｃの上端部の厚みｔ３は、第１折り曲げ部４ｃの中央部の厚みｔ４よりも厚く、かつ第１折り曲げ部４ｃの下端部の厚みｔ５よりも薄い。言い換えれば、第１折り曲げ部４ｃは、上端部に対して中央部が凹み、下端部が広がっている形状である。これにより、第１折り曲げ部４ｃの上端部の断面積が大きくなるので、第１折り曲げ部４ｃの上端部とガス供給管９とが第１接合部１７を介して強固に接合される。さらに、第１折り曲げ部４ｃの上端部に対して中央部が凹んでいることで、中央部の厚みｔ４は、厚みｔ３、厚みｔ４、厚みｔ５の内で、いちばん厚みが薄いものとなり、ガス供給管９が変形したり動いたりした際に発生する応力を、この厚みの薄い中央部で緩和することができる。これにより、ガス供給管９とマニホールド４とを強固に接合することができる。またさらに、第１折り曲げ部４ｃの下端部が広がっていることにより、第１折り曲げ部４ｃとマニホールド４との間が鈍角となりなだらかな形状となるので、ガス供給管９が変形したり動いたりした際に発生する応力を緩和できる。その結果、第１折り曲げ部４ｃとマニホールド４との間にクラックや割れが発生することを抑制できる。
【００３１】
第１折り曲げ部４ｃにおいて、厚みｔ３は例えば０．６ｍｍ〜０．８ｍｍで、厚みｔ４は例えば０．５ｍｍ〜０．６ｍｍで、厚みｔ５は例えば０．９ｍｍ〜１．２ｍｍとすることができる。
【００３２】
図６Ａは本実施形態のセルスタック装置の他の例を示す外観斜視図であり、図６Ｂは図６Ａで示したセルスタック装置の一部を省略した平面図である。また、図７は、図６ＢのＹ−Ｙ線断面図でガス供給管９、マニホールド４および整流板１６を断面図で示しており、それ以外は側面図で示している。
【００３３】
図６Ａ、図６Ｂおよび図７で示すセルスタック装置１１１におけるマニホールド４は、ガス流路と連通している空間を有する本体部４ａと本体部４ａから突出した鍔部４ｂとを有しており、本体部４ａの空間を介して、セル３にガスを供給する。ガス供給管９の他端は、鍔部４ｂを貫通して設けられた第１貫通孔１４に第１面ｎ１側より挿入されてマニホールド４に接合され、さらに本体部４ａを貫通して設けられた第２貫通孔１５に第２面ｎ２側より挿入されてマニホールド４に接合されている。そして、マニホールド４は、ガス供給管９の他端と離間してかつ該他端を覆う整流板１６を有している。言い換えれば、整流板１６は、流配分率向上のため、第２貫通孔１５から流出するガスの流出方向に対し垂直に設けられている。また、整流板１６は開口部を有している。該開口部は、セルスタック５のうち整流板１６から離れた端部のセル３に向かってガスが流出するように設けられていてもよい。なお、第１面ｎ１および第２面ｎ２とは、マニホールド４において、セルスタック５が接合され搭載される側の面を第１面ｎ１とし、該第１面と反対側の面を第２面ｎ２とする。
【００３４】
図８Ａは図７のＢ部の一例を示す拡大した垂直方向の断面図であり、図８Ｂは図８ＡのＺ−Ｚ線で切断した水平方向の断面図である。本実施形態においては、ガス供給管９の他端とマニホールド４とは第２接合部１８を介して接合されている。ここで、本実施形態においては、図８Ａに示すように、ガス供給管９は、第２接合部１８に対応する位置において、ガス供給管９の内側に向けて突出する第２凸部２０を有する。それにより、ガス供給管９が変形したり動いたりしても、第２凸部２０により、第２接合部１８に対応する位置において、第２凸部２０におけるガス供給管９の厚みｔ２が肉厚になることで、ガス供給管９の断面積が増加し、このガス供給管９が接合する第２接合部１８に疲労破壊等によるクラックや割れが発生することを抑制できる。それにより、ガス供給管９とマニホールド４とを強固に接合することができ、その結果、ガス供給管９とマニホールド４との接合信頼性を向上することができる。
【００３５】
ここで、第２凸部２０におけるガス供給管９の厚みｔ２は、図８Ａ、図８Ｂに示すように、ガス供給管９そのものの厚みｔ２１に、第２凸部２０の最も厚い厚みｔ２２を加えた厚みである。
【００３６】
図８Ｂに示すように、第２凸部２０は、ガス供給管９の断面積を増加させる観点から、ガス供給管９の内面の全周にわたって設けることができる。これにより、ガス供給管９が接合する第１接合部１７に、疲労破壊等によるクラックや割れが発生することを抑制できる。
【００３７】
図９Ａ、図９Ｂ、図９Ｃは、図８Ｂの他の例を示す水平方向の断面図である。
【００３８】
図９Ａ、図９Ｂには、第２凸部２０におけるガス供給管９の厚みが全周にわたって不均一である例を示している。
【００３９】
図９Ａのように、厚みの薄い部分と厚みの厚い部分が線対称になっていてもよいし、また図９Ｂのように、厚みの薄い部分と厚みの厚い部分とが偏っていてもよい。このように、第２凸部２０におけるガス供給管９の厚みが全周にわたって不均一であっても、ガス供給管９が肉厚になることに変わりなく、その部分でもってクラックや割れが発生することを抑制できる。
【００４０】
一方、第２凸部２０は必ずしも全周に渡って設けられている必要はなく、図９Ｃのように、第２凸部２０が一部のみに設けられていてもよい。このように、第２凸部２０が一部のみに設けられている場合であっても、ガス供給管９が肉厚になる部分でもってクラックや割れが発生することを抑制できる。
【００４１】
ガス供給管９の厚みは例えば０．５ｍｍ〜１．０ｍｍであり、第２凸部２０の厚みは例えば０．１ｍｍ〜０．５ｍｍとすることができる。
【００４２】
図１０および図１１は、図７のＢ部の他の例を示す拡大した垂直方向の断面図である。
【００４３】
図１０に示す例においては、マニホールド４における第２貫通孔１５の外周部に、ガス供給管９に沿って改質器６側に延びた第２折り曲げ部４ｄを有し、該第２折り曲げ部４ｄの上端部とガス供給管９とが第２接合部１８を介して接合されている。マニホールド４が第２折り曲げ部４ｄを有することで、マニホールド４とガス供給管９とが接合しやすくなり、また第２貫通孔１５にガス供給管９を挿入しやすくなる。なお、第２の折り曲げ部４ｄの高さＨ２は、例えば２ｍｍ〜５ｍｍとすることができる。
【００４４】
図１１に示す例においては、第２折り曲げ部４ｄの上端部の厚みｔ６は、第２折り曲げ部４ｄの中央部の厚みｔ７よりも厚く、かつ第２折り曲げ部４ｄの下端部の厚みｔ８よりも薄い。言い換えれば、第２折り曲げ部４ｄは、上端部に対して中央部が凹み、下端部が広がっている形状である。これにより、第２折り曲げ部４ｄの上端部の断面積が大きくなるので、第２折り曲げ部４ｄの上端部とガス供給管９とが第２接合部１８を介して強固に接合される。さらに、上端部に対して中央部が凹んでいることで、中央部の厚みｔ７は、厚みｔ６、厚みｔ７、厚みｔ８の内で、いちばん厚みが薄いものとなり、ガス供給管９が変形したり動いたりした際に発生する応力を、この厚みの薄い中央部で緩和することができる。これにより、ガス供給管９とマニホールド４とを強固に接合することができる。またさらに、第２折り曲げ部４ｄの下端部が広がっていることにより、第２折り曲げ部４ｄとマニホールド４との間が鈍角となりなだらかな形状となるので、ガス供給管９が変形したり動いたりした際に発生する応力を緩和できる。その結果、第２折り曲げ部４ｄとマニホールド４との間にクラックや割れが発生することを抑制できる。
【００４５】
第２折り曲げ部４ｄにおいて、厚みｔ６は例えば０．６ｍｍ〜０．８ｍｍで、厚みｔ７は例えば０．５ｍｍ〜０．６ｍｍで、厚みｔ８は例えば０．９ｍｍ〜１．２ｍｍとすることができる。
【００４６】
以上説明した本実施形態のマニホールド４の作製方法の一例について説明する。例えば図７に示すような、第１貫通孔１４が鍔部４ｂに形成され、第２貫通孔１５が本体部４ａに形成されているマニホールド４の作製方法について以下に詳述する。
【００４７】
第１貫通孔１４は、パンチング加工等の加工法にて鍔部４ｂを貫通させて形成される。第２貫通孔１５も同様に、パンチング加工等の加工法にて本体部４ａを貫通させて形成される。
【００４８】
ガス供給管９とマニホールド４とが接合された第１接合部１７および第２接合部１８は、冶金的接合法を用いてマニホールド４の外側表面とガス供給管９とを接合することにより設けることができる。冶金的接合法とは、融接、圧接又はろう接によって接合する方法である。融接の例としては、レーザー溶接、プラズマアーク溶接、イナートガスアーク溶接、マグ溶接又はガス溶接などが挙げられる。また、圧接の例としては、超音波溶接、摩擦溶接又は爆発溶接などが挙げられる。
【００４９】
また、マニホールド４において、第１折り曲げ部４ｃ、第２折り曲げ部４ｄをそれぞれ第１貫通孔１４および第２貫通孔１５の外周部に一体的に設けるには、第１折り曲げ部４ｃ、第２折り曲げ部４ｄの形状の金型を用い、プレス加工等の加工法で作製することができる。また、第１折り曲げ部４ｃ、第２折り曲げ部４ｄをそれぞれ第１貫通孔１４および第２貫通孔１５の外周部に別体で設ける場合には、第１折り曲げ部４ｃ、第２折り曲げ部４ｄの形状の部材を準備し、第１貫通孔１４および第２貫通孔１５の外周部に、それぞれの部材を上記した冶金的接合法で接合すればよい。
【００５０】
図１２は、セルスタック装置１１１を収納容器内に収納してなるモジュールである燃料電池モジュールの一例を示す外観斜視図であり、直方体状の収納容器２２の内部に、図６Ａに示したセルスタック装置１１１を収納して構成されている。
【００５１】
なお、セル３にて使用する燃料ガスを得るために、天然ガスや灯油等の原燃料を改質して燃料ガスを生成するための改質器６をセルスタック５の上方に配置している。そして、改質器６で生成された燃料ガスは、ガス供給管９を介してマニホールド４に供給され、マニホールド４を介してセル３の内部に設けられたガス通路に供給される。
【００５２】
なお、図１２においては、収納容器２２の一部（前後面）を取り外し、内部に収納されているセルスタック装置１１１および改質器６を後方に取り出した状態を示している。図１２に示したモジュール３０においては、セルスタック装置１１１を、収納容器２２内にスライドして収納することが可能である。なお、セルスタック装置１１１は、改質器６を含むものとしても良い。
【００５３】
さらに、本実施形態のモジュール３０では、上述したセルスタック装置１１１を収納容器２２内に収納してなることから、耐久性が向上したモジュール３０とすることができる。
【００５４】
図１３は、外装ケース内に図１２で示したモジュール３０と、セルスタック装置１１１を動作させるための補機とを収納してなるモジュール収納装置である燃料電池装置の一例を示す斜視図である。なお、図１３においては一部構成を省略して示している。
【００５５】
図１３に示すモジュール収納装置４０は、支柱４１と外装板４２とから構成される外装ケース内を仕切板４３により上下に区画し、その上方側を上述したモジュール３０を収納するモジュール収納室４４とし、下方側をモジュール３０を動作させるための補機類を収納する補機収納室４５として構成されている。なお、補機収納室４５に収納する補機類は省略して示している。
【００５６】
また、仕切板４３には、補機収納室４５の空気をモジュール収納室４４側に流すための空気流通口４６が設けられており、モジュール収納室４４を構成する外装板４２の一部に、モジュール収納室４４内の空気を排気するための排気口４７が設けられている。
【００５７】
このようなモジュール収納装置４０においては、上述したように、耐久性が向上したモジュール３０をモジュール収納室４４に収納して構成されることにより、耐久性が向上したモジュール収納装置４０とすることができる。
【００５８】
なお、例えば、上記形態ではいわゆる縦縞型と呼ばれるセルを用いて説明したが、一般に横縞型と呼ばれる複数の発電素子部を支持基板上に設けてなる横縞型のセル又はいわゆる円筒型のセルを用いることもできる。
【符号の説明】
【００５９】
１、１１１：セルスタック装置
３：セル
４：マニホールド
４ａ：本体部
４ｂ：鍔部
４ｃ：第１折り曲げ部
４ｄ：第２折り曲げ部
５：セルスタック
６：ガス供給部（改質器）
９：ガス供給管
１４：第１貫通孔
１５：第２貫通孔
１７：第１接合部
１８：第２接合部
１９：第１凸部
２０：第２凸部
３０：モジュール（燃料電池モジュール）
４０：モジュール収納装置（燃料電池装置）
ｔ１：第１凸部におけるガス供給管の厚み
ｔ１１：ガス供給管そのものの厚み
ｔ１２：第１凸部の最も厚い厚み
ｔ２：第２凸部におけるガス供給管の厚み
ｔ２１：ガス供給管そのものの厚み
ｔ２２：第２凸部の最も厚い厚み
【要約】
内部にガス流路を有する柱状のセル３を複数個立設させた状態で配列して電気的に接続してなるセルスタック５と、セル３の下端を固定するとともにセル３のガス流路にガスを供給するためのマニホールド４と、ガスをマニホールド４に供給するためのガス供給管９とを備え、該ガス供給管９は、一端がガス供給部６に接続されるとともに、他端がマニホールド４に設けられた第１貫通孔１４に挿入されてマニホールド４に第１接合部１７を介して接合されており、ガス供給管９の挿入方向に沿った任意の断面において、ガス供給管９は、第１接合部１７に対応する位置において、ガス供給管９の内側に向けて突出する第１凸部１９を有する。【図１】
0006438179.tif 000002
【図２】
0006438179.tif 000003
【図３Ａ】
0006438179.tif 000004
【図３Ｂ】
0006438179.tif 000005
【図３Ｃ】
0006438179.tif 000006
【図４】
0006438179.tif 000007
【図５】
0006438179.tif 000008
【図６Ａ】
0006438179.tif 000009
【図６Ｂ】
0006438179.tif 000010
【図７】
0006438179.tif 000011
【図８】
0006438179.tif 000012
【図９Ａ】
0006438179.tif 000013
【図９Ｂ】
0006438179.tif 000014
【図９Ｃ】
0006438179.tif 000015
【図１０】
0006438179.tif 000016
【図１１】
0006438179.tif 000017
【図１２】
0006438179.tif 000018
【図１３】
0006438179.tif 000019